(57)【特許請求の範囲】
【請求項１】
時刻表示機能と時刻表示以外の他の機能との何れかを選択的に動作させる機能選択手段を含む電子時計において、外部発電手段、該外部発電手段から発生する発電エネルギーを蓄える充電手段、当該機能選択手段から出力される、時刻表示機能以外の機能を選択する少なくとも一つの選択信号に応答して、該外部発電手段からの発電エネルギーが当該充電手段に充電される充電状態を制御する充電状態制御手段とが設けられている事を特徴とする発電機能付き電子時計。
【請求項２】
当該時刻表示機能が指針によって表示されるものである事を特徴とする請求範囲第１項記載の発電機能付き電子時計。
【請求項３】
当該時刻表示機能と異なる機能が表示される際には、前記指針の負荷補償システムが作動しない状態にある事を特徴とする請求範囲第２項に記載の発電機能付き電子時計。
【請求項４】
当該時刻表示機能と異なる機能は、指針の正転早送り運針機能、指針の逆転運針機能、指針の早送り逆転運針機能、アラーム機能、クロノ表示機能、タイマー機能、ストップウォッチ機能、電波受信機能等から選択された少なくとも一つの機能である事を特徴とする請求範囲第２項乃至第３項の何れかに記載の発電機能付き電子時計。
【請求項５】
当該外部発電手段は、ソーラセルである事を特徴とする請求範囲第１項乃至第４項の何れかに記載の発電機能付き電子時計。
【請求項６】
当該外部発電手段は、機械式発電手段である事を特徴とする請求範囲第１項乃至第４項の何れかに記載の発電機能付き電子時計。
【請求項７】
当該充電手段は、電気二重層コンデンサである事を特徴とする請求範囲第１項乃至第６項の何れかに記載の発電機能付き電子時計。
【請求項８】
当該充電手段は、二次電池である事を特徴とする請求範囲第１項乃至第６項の何れかに記載の発電機能付き電子時計。
【請求項９】
該充電状態制御手段は、該外部発電手段と当該充電手段との間に直列に接続されている事を特徴とする請求範囲第１項乃至第８項の何れかに記載の発電機能付き電子時計。
【請求項１０】
該充電状態制御手段は、該外部発電手段と当該充電手段との間に並列に接続されている事を特徴とする請求範囲第１項乃至第８項の何れかに記載の発電機能付き電子時計。
【請求項１１】
充電状態制御手段は、当該外部発電手段から発生された発電エネルギーの一部若しくは全部が当該充電手段に充電されるのを阻止する様に構成されているものである事を特徴とする請求範囲第１項乃至第10項の何れかに記載発電機能付き電子時計。
【請求項１２】
当該発電機能付き電子時計は、更に当該時刻表示機能と異なる機能を駆動させる直前に、該充電手段の電圧を予め定められた所定の電圧に安定させる為の付加的負荷手段が設けられている事を特徴とする請求範囲第１項乃至第11項の何れかに記載の発電機能付き電子時計。
【請求項１３】
当該付加的負荷手段は、モータ、抵抗の何れかで構成されるものである事を特徴とする請求範囲第１項乃至第12項の何れかに記載の発電機能付き電子時計。
【請求項１４】
当該発電機能付き電子時計は、更に、当該外部発電手段から発生された発電エネルギーのうちで当該充電状態制御手段によって、該当該充電手段への充電が阻止されている、一部若しくは全部の発電エネルギーを充電する付加的充電手段が設けられている事を特徴とする請求範囲第１項乃至第13項の何れかに記載の発電機能付き電子時計。
【請求項１５】
さらに電圧検出手段を有し、充電中に充電手段の電圧が所定の値以下になると選択されている時刻表示以外の機能を停止させる様に構成されている事を特徴とする請求範囲第１項乃至第14項の何れかに記載発電機能付き電子時計。
【発明の詳細な説明】
技術分野
本発明は、正逆転可能なモータと該モータに連動した指針で時刻表示と時刻表示以外の他の機能表示が切り替え可能で、且つ、外部発電手段からの発電エネルギーを蓄電手段に蓄え電源とする発電機能付きのアナログ多機能充電式時計の逆転運針の信頼性向上に関するものである。
背景技術
銀電池やリチウム電池等の一次電池を使った正逆可能なモータを有するアナログ多機能時計はすでに製品化されている。アナログ多機能時計の一般的な機能としては、アラーム、クロノ、タイマー等が挙げられる。
また、ソーラセルや自動巻発電等の外部発電手段と電気二重層型の大容量コンデンサもしくは二次電池とを組み合わせた充電式時計も製品化されている。しかしながら、従来のアナログ充電式時計は、時分秒針が１秒毎に運針する単機能時計ばかりで、機能付きでも指針に連動した日板によるカレンダー機能程度であった。
単機能時計では、正転運針のみで十分であったが、多機能時計となると、モード間の移行時間や各モードでの針位置修正時間の短縮の為、正転運針のみでなく逆転運針も必要となってきた。
正転運針用の正転パルスは、特公昭61−18151号公報に示す負荷補償システム（駆動パルスによる回転が失敗した場合、大きな力の補正パルスをさらに出力し回転させる。）を採用することにより電圧変動があっても、指針の指示位置がずれることは無かった。従って、充電式時計において正運転針中に蓄電手段が充電されても、特に問題は無かった。
しかしながら、特開昭52−80063号公報に示す原理で回転する逆転運針用の逆転パルスには、正転パルスでいう負荷補償システムは無い。従って、充電式時計において逆転運針中に蓄電手段が充電され、電圧変動が生じると、回転の補償が出来なかった。
発明の開示
本発明の目的は、上記した従来技術の欠点を改良し、アナログ多機能充電式時計及びデジタル式時計を含む多機能電子時計に於いて、当該電子時計が時刻表示機能と異なる機能を実行している間は、発電手段から発生する発電エネルギーを、充電手段に蓄電されない様にして、上記逆転パルスの出力時、或いは逆転パルスの使用時に於いても出力電圧を安定させる事によって、指針用のモータの回転を補償できる発電機能付き電子時計を提供するものである。
本発明にかかる発電機能付き電子時計は、上記した目的を達成する為、基本的には、以下に示す様な基本的な技術構成を採用するものである。即ち、正逆転可能なモータ、該モータに連動した指針を有するアナログ式多機能時計或はデジタル式多機能時計の様な電子時計に於いて、電子時計は、時刻表示機能と時刻表示以外の他の機能との何れかを選択的に動作させる機能選択手段とを含むと共に、当該電子時計には更に、外部発電手段、該外部発電手段から発生する発電エネルギーを蓄える充電手段、当該機能選択手段から出力される、時刻表示機能以外の機能を選択する少なくとも一つの選択信号に応答して、該外部発電手段からの発電エネルギーが当該充電手段に充電される充電状態を制御する充電状態制御手段とが設けられている発電機能付き電子時計である。
つまり、本発明に係る発電機能付き電子時計は、具体的には、例えばアナログ式の多機能型電子時計に於いては、正逆転可能なモータと該モータに連動した指針で時刻表示と時刻表示以外の他の機能表示が切り替え可能な構成が採用されており、且つ外部発電手段と、該外部発電手段からの発電エネルギーを蓄える充電手段と、該充電手段に蓄えられたエネルギーが逆流することを防ぐ為の逆流防止手段と、該指針の逆転運針を制御する逆転制御手段と、該逆転制御手段からの信号により外部発電手段からの発電エネルギーが充電手段に充電されないよう制御する充電禁止手段を設けたことを特徴とする発電機能付き電子時計である。
【図面の簡単な説明】
図１は、本発明に係る発電機能付き電子時計の第１の具体例に於ける構成の概要を示すブロックダイアグラムである。
図２は、本発明に係る発電機能付き電子時計の第２の具体例に於ける構成の概要を示すブロックダイアフラムである。
図３は、本発明に係る発電機能付き電子時計の第３の具体例に於ける構成の概要を示すブロックダイアグラムである。
図４は、本発明に係る発電機能付き電子時計の第４の具体例に於ける構成の概要を示すブロックダイアグラムである。
図５は、本発明に係る発電機能付き電子時計の第５の具体例に於ける構成の概要を示すブロックダイアグラムである。
図６は、本発明に係る発電機能付き電子時計の第６の具体例に於ける構成の概要を示すブロックダイアグラムである。
図７は、本発明に係る発電機能付き電子時計の第７の具体例に於ける構成の概要を示すブロックダイアグラムである。
発明を実施する為の最良の形態
以下に、本発明に係る発電機能付き電子時計の具体例の構成を図面を参照しながら詳細に説明する。
図１は、本発明に係る発電機能付き電子時計30の一具体例としてアナログ式多機能型電子時計を使用した場合に於ける基本的な構成を示すブロックダイアグラムであって、図中、正逆転可能なモータ52、該モータ52に連動した指針51により構成されたアナログ表示装置５と、該表示装置５に於いて時刻表示機能と時刻表示以外の他の機能との何れかを選択的に表示する様にする機能選択手段３とからなるアナログ多機能時計30において、外部発電手段７、該外部発電手段７から発生する発電エネルギーを蓄える充電手段９、当該機能選択手段３から出力される、時刻表示機能と異なる機能を選択する選択信号に応答して、該外部発電手段７からの発電エネルギーが当該充電手段９に充電される充電状態を制御する充電状態制御手段６とが設けられている発電機能付き電子時計30が示されている。
尚、図１に於ける本発明に係る第１の具体例に於いては、更に、時間基準源を構成する水晶発振器等からなる発振手段１、当該発振手段１の発振する周波数を適宜の周波数にまで低下させる為に使用される分周手段２、該機能選択手段３の機能選択信号に応答して当該表示装置５を駆動させる表示駆動手段４を有しており、又、該充電状態制御手段６は、当該機能選択手段３の出力する機能選択信号から、現在実行されている当該表示装置５の機能制御状態を判定する機能制御状態判定手段61と当該機能制御状態判定手段61の出力に応答して、該外部発電手段７と該充電手段９との導通状態を制御する充電制御手段62とから構成されている事が望ましい。
つまり、本発明に係る発電機能付き電子時計30は、該機能選択手段３が、例えば、表示駆動手段４に表示装置５を構成する正逆転可能なモータ52に逆転運針を指令したとすると、当該充電状態制御手段６に於ける該機能制御状態判定手段61がその指令内容を検出して、当該充電制御手段62を動作させて、該外部発電手段７と該充電手段９との間の導通を遮断する様に作動するものである。
更に、本具体例に於いては、該機能選択手段３が選択しうる該時刻表示以外の他の機能としては、例えば、指針の正転早送り運針機能、指針の逆転運針機能、指針の早送り逆転運針機能、アラーム機能、クロノ表示機能、タイマー機能、ストップウォッチ機能、電波受信機能等から選択された少なくとも一つの機能である。
係る時刻表示以外の他の機能のうちでも、特にアラーム機能とか電波受信機能等は、該表示装置５に於けるモーター或いは指針を使用しないで駆動される機能であることから、付加機能としてその他の時刻表示以外の他の機能と区別し、図１に示す様に、表示装置５とは別個の付加機能実行手段11を設け、該機能選択手段３が当該付加機能を選択した場合には、係る付加機能実行手段11を適宜の付加機能駆動手段10を介して駆動する様に構成する事が出来る。
係る場合にも、該外部発電手段７と該充電手段９との間の導通を遮断する様に作動する事が望ましい。
該充電制御手段62の構成は特に限定されるものではないが、適宜のスイッチング回路、可変抵抗回路、蓄電回路等の少なくとも何れか一つから構成されている事が望ましい。
上記した様に、本発明に於いては、充電状態制御手段６は、当該外部発電手段７から発生された発電エネルギーの一部若しくは全部が当該充電手段９に充電されるのを阻止する様に構成されているものである。
尚、上記した本発明に於ける発電機能付き電子時計30に於いて、当該時刻表示機能と異なる機能が表示されている際には、前記した負荷補償システムが作動しない状態に設定される様に構成されている事が望ましい。
更に、本発明に於いては、当該外部発電手段７と当該充電手段９との間には、該充電手段９に蓄えられた電気エネルギーが逆流する事を防止する為の逆流防止手段12が更に設けられている事が望ましい。
かかる逆流防止手段12としては、例えばダイオード等で構成されるものである。
当該逆流防止手段12は、図１の例では、該充電状態制御手段６と該外部発電手段７との間に設けた構成を示しているが、本発明に於いては係る構成に特定されるものではなく、該充電状態制御手段６と該充電手段９との間に設けるものであっても良い。
以下に示す図２から図４に於いては、係る逆流防止手段12の表示を省略してある。
又、本発明に於いて使用される当該外部発電手段７は、例えばソーラセルであっても良く、又機械式発電手段であっても良い。
一方、本発明に於いて使用される該充電手段９は、従来周知のバッテリ、蓄電池が使用出来るが、好ましくは電気二重層コンデンサであり、或いは二次電池である事が好ましい。
上記具体例は、アナログ式多機能電子時計に付いて説明したが、本発明に於いてはデジタル式多機能電子時計に対しても、同様に適用されうるものである事は言うまでもない。
図２は、本発明に係る第二の具体例の構成を示すブロックダイアグラムであり、特に、図１に於ける第一の具体例に於いて説明した充電制御手段62の構成の一例を示すものである。
即ち、本発明に係る第二の具体例に於いては、該機能制御状態判定手段61が、時刻表示以外の他の機能を実行する様に指令を出している場合に、該外部発電手段７と該充電手段９との間の導通を完全に遮断するのではなく、当該充電制御手段62が、該外部発電手段７と該充電手段９との間の導通を不完全に遮断する様に構成される例を示すものである。
例えば、本発明に於ける当該充電制御手段62に要求される機能としては、上記外部発電手段７と該充電手段９との間の導通を完全に遮断するか、完全に導通させるかの場合の他、その中間の状態も採りうる様に構成しておく事が望ましい。
つまり、当該発電機能付き電子時計に於ける各種の時刻表示以外の他の機能の中には、該外部発電手段７と該充電手段９との間の導通を完全に遮断しなくとも実用上からある程度絞り込んだ電流が流れる程度であれば、即ち、不完全な遮断に於いては、特に支障の無いと言う場合もあるので、当該充電制御手段62は、該外部発電手段７と該充電手段９との間の導通の程度を調整出来る機能を有している事が望ましい。
そのためには、当該充電制御手段62は、連続的若しくは段階的にその内部抵抗、電流量等が調整出来る構成を有している事が望ましい。
つまり、図２に示されている本発明の第二の具体例に於ける充電制御手段62は、その一例を示すものであって、当該充電制御手段62内に、複数個のスイッチSW1,SW2、SW3を並列に配置したスイッチ手段63を設け、各スイッチ手段の１つ若しくは複数個の何れかを該機能制御状態判定手段61の出力に応じて選択する様にして、当該外部発電手段７と該充電手段９との間の導通の程度を調整する様にするものであり、逆に言えば不完全な遮断状態を生成するものである。
即ち、電源電圧の安定性の大きく左右される指針の逆転運針などでは、当該充電制御手段62の制御スイッチを１つだけONとして、該外部発電手段７と該充電手段９との間の抵抗値を大きくして略完全に充電を遮断する。
これに対して、アラーム機能などの比較的電源電圧の安定性を追求しない付加機能を実行させる場合には、当該スイッチを２つ乃至３つONとして、該外部発電手段７と該充電手段９との間の抵抗値を小さくして、電源電圧を安定させると共に、付加機能動作中もある程度の充電が出来る様に制御するものである。
尚、本発明に於ける上記した二つの具体例の何れの場合に於いても、該充電制御手段62は、該外部発電手段７と当該充電手段９との間に直列に接続されていても良く、又該充電制御手段62は、該外部発電手段７と当該充電手段９との間に並列に接続されていても良い。
上記した各具体例に於いては、充電中に於ける当該充電手段９の電圧が変動を繰り返し、安定した蓄電池電圧を得るために長い時間が必要となっていた。
そのため、各機能において、正確な表示が行われないと言う問題も発生しているので、短時間で当該蓄電池電圧を安定化させる事が必要となっている。
図３は、本発明に係る第三の具体例である発電機能付き電子時計30の別の態様を説明するもので有って、当該発電機能付き電子時計30は、更に当該時刻表示機能と異なる機能を駆動させる直前に、該充電手段９の電圧を予め定められた所定の電圧に安定させる為の付加的負荷手段13が設けられているものである。
つまり、当該充電手段９に付加的負荷手段13を設け、該機能制御状態判定手段61からの出力により、充電制御手段62を制御すると共に、該負荷回路13を動作させて充電手段９の電圧を素早く安定させる様に制御するものである。
本発明に於いて使用される当該付加的負荷回路13としては、例えば、モータ、抵抗の何れかで構成されるものである。
又、図４は、本発明に係る発電機能付き電子時計30の第四の具体例の構成を示すブロックダイアグラムであって、その特徴は、充電手段９の出力電圧を検出して、該機能選択手段３に対して、当該機能選択手段３が現在実行中の機能を制御する様に構成されているものである。
つまり、図４に於いては、充電手段９の電圧を検出する電圧検出手段14が設けられており、当該充電手段９の電圧が所定の値よりも低くなると該機能選択手段３に所定の信号を出力して、当該機能選択手段３で実行動作中の付加機能、或いは該時刻表示以外の他の機能を停止させる様に機能するものである。
具体的には、例えば、逆転運針中に電圧の低下が検出されると、当該逆転運針は停止され、正転運針を行う様に制御されるものである。
次に、本発明に係る発電機能付き電子時計30のより具体的な態様である第五の具体例の構成及びその動作に付いて、図５を参照しながら説明する。
即ち、図５は本発明のアナログ多機能時計400のブロック図であり、100が時計回路、200が電源回路、300がモータである。
時計回路100は、時間基準源101、第一分周段102、第二分周段103、セレクタ104、時刻カウンタ105、一致回路106、針位置カウンタ107、不一致回路108、アラームカウンタ109、正転パルス作成回路110、逆転パルス作成回路111、ドライバ112、逆転制御手段113、モード選択SW114、ANDゲート115、116、117、オアゲート119より構成されている。
時間基準源101は、32.768KHzの基準信号P1を発生し、第一分周段102は基準信号P1を入力し12段分周した8Hz信号P2を出力し、第二分周段103は8Hz信号P2を入力し３段分周した1Hz信号P3を出力する。
ANDゲート116は後述する一致回路106からの一致信号P6が“H"レベルの間だけ1Hz信号P3を出力する。同様に、ANDゲート117は後述する不一致回路108からの不一致信号P8が“H"レベルの間だけ8Hz信号P2を出力する。又、ANDゲート115は後述する逆転制御手段113からの逆転制御信号P13が“H"レベルの間だけ8Hzのカウントダウン信号P15を出力する。
セレクター104はＢ入力がANDゲート116を介した1Hz信号P3、Ａ入力がANDゲート117を介した8Hz信号P2で、φ入力がモード選択SW114からのモード選択信号P14である。モード選択信号P14が“L"レベルの時はＢ入力を、“H"レベルの時はＡ入力をＱ出力よりカウントアップ信号P4として選択出力する。
時刻カウンタ105はアップカウンタで、Ｕ端子に1Hz信号P3を入力し、現在時刻のカウントを行なっている。
針位置カウンタ107はアップダウンカウンタで、Ｕ端子にセレクタ104からの1Hzもしくは8Hzのカウントアップ信号P4を、Ｄ端子にANDゲート115からの8Hzのカウントダウン信号P15を夫々入力し、針位置のカウントを行なっている。
アラームカウンタ109はアップカウンタで、アラーム時刻を保持している。
一致回路106は、時刻カウンタ105のカウント値P5と針位置カウンタ107のカウント値P7の一致を検出し、一致で“H"レベル、不一致で“L"レベルの一致信号P6を出力する。又、不一致回路108は、針位置カウンタ107のカウント値P7とアラームカウンタ109のカウント値P9の不一致を検出し、不一致で“H"レベル、一致で“L"レベルの不一致信号P8を出力する。
正転パルス作成回路110は、セレクタ104からのカウントアップ信号P4を入力する毎に正転パルスP10を、逆転パルス作成回路111は、ANDゲート115からのカウントダウン信号P15を入力する毎に逆転パルスP11を出力する。ドライバ112は、ORゲート19を介して正転パルス作成回路110からの正転パルスP10もしくは逆転パルス作成回路111からの逆転パルスP11を入力し、モータ300を駆動する。また、正転パルス作成回路にはモータ300からの負荷補償用の逆起信号P12がドライバ112を介して入力されている。
逆転制御回路113はNORゲート118により構成され、モード選択SW14からのモード選択信号P14と一致回路106からの一致信号P6を入力し、モード選択信号P14が“L"レベルで且つ一致信号P6も“L"レベル時に、“H"レベルの逆転制御信号P13を出力する。つまり、アラームモードから時刻モードに戻り、かつ針位置が現在時刻表示に戻るまでの間、“H"レベルの逆転制御信号P13を出力する。
モード選択SW114は、OFF時に“L"レベルの、ON時に“H"レベルのモード選択信号P14を出力する。選択信号P14が“L"レベルで時刻モードに“H"レベルでアラームモードになる。
電源回路200は、前述した各具体例に於ける外部発電手段７に相当する発電手段201、充電状態制御手段３に相当する充電禁止手段202、充電手段９に相当する充電手段203、逆流防止ダイオード204より構成されている。なお充電禁止手段202はスイッチング素子で構成され、図５に示すような発電手段201と充電手段203とに並列に接続されている場合は、逆転制御信号P13が“H"レベルのときにオンするように動作する。また図示することは省略するが充電禁止手段202を発電手段201と充電手段203との間に直列に接続することも可能である。この場合は逆転制御信号P13が“H"レベルの時にオフするように制御すれば良い。発電手段201からのエネルギーは逆流防止ダイオード204を介して充電手段203に蓄えられるが、間にある充電禁止手段202が逆転制御回路113からの逆転制御信号P13を入力すると充電が禁止され回路の電源変動が無くなる  次に、本発明の実施の形態の動作について説明する。
尚、時刻修正動作、アラーム修正動作、針位置（０位置）修正動作は、本発明と直接関係ないので説明を省略する。
先ず、通常動作時について説明する。
通常動作時では、モード選択SW114はOFFされており、“L"レベルのモード選択信号P14が出力され、時刻モードとなっている。また、時刻カウンタ５には1Hz信号P3が入力されている。
そして、セレクタ104はφ入力に“L"レベルのモード選択信号P14が入力されている為、ANDゲート116を介した1Hz信号P3が選択され、カウントアップ信号P4として出力されている。針位置カウンタ７および正転パルス作成回路110には、カウントアップ信号P4が入力され、正転パルス作成回路110から1Hz毎に正転駆動パルスP10が出力されドライバ112を介してモータ300を駆動する。
時刻カウンタ105のカウント値P5と針位置カウンタ107のカウント値P7が一致している為、一致回路106から“H"レベルの一致信号P6が出力されている。
又、逆転制御回路113は“L"レベルのモード選択信号P14と“H"レベルの一致信号P6を入力する為、“L"レベルの逆転制御信号P13を出力している。
従って、通常動作時は発電手段201からのエネルギーは逆流防止ダイオード204を介して充電手段203に蓄え続けられている。
次に、時刻モードからアラームモードへの移行動作について説明する。
時刻モードでは、針位置カウンタ107のカウント値P7とアラームカウンタ109のカウント値P9は不一致である為、不一致回路108から“H"レベルの不一致信号P8が出力されている。
この状態で、モード選択SW114がONにすると、“H"レベルのモード選択信号P14が出力される。セレクタ104はφ入力に“H"レベルのモード選択信号P14が入力される為、ANDゲート117を介した8Hz信号P2が選択出力される。又、逆転制御回路113は“H"レベルのモード選択信号P14を入力する為、“L"レベルの逆転制御信号P13を出力している。
時刻カウンタ105には引き続き1Hz信号P3が入力されるが、針位置カウンタ７および正転パルス作成回路110には、8Hzのカウントアップ信号P4が切り替わり入力される。
針位置カウンタ107が8Hz毎にカウントアップされ針位置カウンタ107のカウント値P7とアラームカウンタ109のカウント値P9が一致すると、不一致回路108から“L"レベルの不一致信号P8が出力され、ANDゲート117により8Hz信号P2が止まる。同時に正転パルス作成回路110からの8Hz毎に出力された正転パルスP10も止まり、針位置がアラーム設定時刻となる。尚、逆転制御回路113は“L"レベルの逆転制御信号P13を出力しており、時刻モードからアラームモードへの移行時およびアラームモードでも発電手段201からのエネルギーは逆流防止ダイオード204を介して充電手段203に蓄え続けられている。
次に、アラームモードから時刻モードへの移行動作について説明する。
アラームモードでは、針位置カウンタ107のカウント値P7とアラームカウンタ109のカウント値P9は一致である為、不一致回路108から“L"レベルの不一致信号P8が出力されている。又、時刻カウンタ105のカウント値P5と針位置カウンタ107のカウント値P7は不一致である為、一致回路106から“L"レベルの一致信号P6が出力されている。
この状態で、モード選択SW114がOFFにすると、逆転制御回路113は“L"レベルのモード選択信号P13と“L"レベルの一致信号P6を入力する為、“H"レベルの逆転制御信号P13を出力する。針位置カウンタ107にはANDゲート115を介して8Hzのカウントダウン信号P15が入力される。又、セレクタ104はφ入力に“L"レベルのモード選択信号P14が入力されている為、ANDゲート116を選択するが、一致信号P6が“L"レベルの為、カウントアップ信号P4の出力は無い。
時刻カウンタ105には引き続き1Hz信号P3が入力されるが、針位置カウンタ107および逆転パルス作成回路111には、8Hzのカウントダウン信号P15が入力される。
針位置カウンタ107が8Hz毎にカウントダウンされ針位置カウンタ107のカウント値P7とアラームカウンタ109のカウント値P9が不一致になると、不一致回路108から“H"レベルの不一致信号P8が出力される。さらに、針位置カウンタ７がカウントダウンされ、針位置カウンタ107のカウント値と時刻カウンタ107のカウント値が一致すると、一致回路106から“H"レベルの一致信号P6が出力される。
続いて、逆転制御手段113からの逆転制御信号P13の出力が“H"から“L"に切り替わり、ANDゲート115によりカウントダウン信号P15が止まる。これにより逆転パルス作成回路111からの逆転パルスP11も止まり、針位置が現在時刻となる。
同時に、ANDゲート116を介して1Hz信号P3が出力される。針位置カウンタ107および正転パルス作成回路110には、セレクタ４を介して1Hzのカウントアップ信号P4として入力される。
逆転制御回路113は“L"レベルのモード選択信号P14と“L"レベルの一致信号P6を入力すると、“H"レベルの逆転制御信号P13を出力し、“L"レベルのモード選択信号P14と“H"レベルの一致信号P6を入力すると、“L"レベルの逆転制御信号P13を出力する。従って、アラームモードから時刻モードへの移行時のみ発電手段201からのエネルギーは充電禁止手段202によって充電手段203に蓄えられなくなり、電圧変動が発生しない。上記の如く本発明では、逆転パルスP11出力時のみ充電禁止手段202を働かせ、発電手段201からのエネルギーが充電手段203に蓄えられなくなっている。
尚、本実施の形態ではアラームモードから時刻モードへの移行時に逆転パルスが出力され、充電禁止手段202を動作させていたが、本発明はこれに限定されるものではなく逆転パルス使用時ならばモード移行には何ら関係なく充電禁止手段202を動作するように構成したものも含まれる。従って、修正動作による逆転パルス出力時でも同様に、充電禁止手段202を働かせ、電圧変動が発生しないように構成されたものも本願発明に含まれる。
尚、本発明においては、逆転パルスを使用する場合に限定されるものではなく、負荷補償を行わない、例えば正転早送りパルスを使用する場合にも有効である。
次に、本発明に係る発電機能付き電子時計30の第六の具体例の構成を図６を参照して説明する。
即ち、図６に示す本発明の第六の具体例に於いては、図５の電源200の具体的な構成例を説明するものであって、図６（Ａ）は、充電状態制御手段３に相当する充電制御回路202を充電手段９に相当する充電手段201に並列に接続した場合の例を説明するものである。この場合、通常は当該充電制御回路202はOFFであり、図５に示す信号P13によりON状態に変化する。
又、図６（Ｂ）は、該充電状態制御手段３に相当する充電制御回路202を充電手段９に相当する充電手段201に直列に接続した場合の例を説明するものである。この場合、通常は当該充電制御回路202はONであり、図５に示す信号P13によりOFF状態に変化する。
又、図７は、上記した図５に示された本発明に係る発電機能付き電子時計400の構成において、該外部発電手段201と該充電手段203との間に、充電遮断中に発電手段201で発生した電圧を第二の充電手段であるコンデンサ205に貯える手段を設けたものである。
つまり、本発明に於いては、上記した様に時刻表示以外の他の機能が実行されている間には、当該充電手段９（201）で発生した電気エネルギーを該充電手段９（203）に充電しないように構成する事を基本としているが、折角発電された電気エネルギーをみすみす放棄することは、問題であるので、かかる電気エネルギーを別途に設けた、比較的小さい充電手段に一時的に貯えておき、後で必要に応じて使用する用に構成されている。
即ち、本発明に於いては、当該発電機能付き電子時計は、更に、当該外部発電手段７から発生された発電エネルギーのうちで当該充電状態制御手段６によって、該当該充電手段９への充電が阻止されている、一部若しくは全部の発電エネルギーを充電するコンデンサー205が設けられているものである。
図７に於いて、外部発電手段201と充電手段203を充電禁止手段202が遮断している時は、図５に於ける信号P13に基づきスイッチ制御回路208がスイッチ206をON状態とし、該外部発電手段201で発生した電力をコンデンサー205に蓄電する。
そして、例えば逆転運針が終了するなどして、充電遮断状態が終了すると該コンデンサー205から該充電手段203へ電荷が蓄積される。
ここで、該コンデンサ205と該充電手段203の電圧が等しくなると電圧比較手段207が制御信号を出力し、当該信号に基づいてスイッチ制御回路208は、スイッチ206をOFFにする。
上記の如く本発明によれば、逆転制御手段からの信号により外部発電手段からの発電エネルギーが充電手段に充電されないよう制御する充電禁止手段を設けたことにより、電圧変動が無くなり逆転パルスの回転信頼性の向上に大なる効果を有する。
【図７】
0003604153.tif 000002
【図１】
0003604153.tif 000003
【図２】
0003604153.tif 000004
【図３】
0003604153.tif 000005
【図４】
0003604153.tif 000006
【図５】
0003604153.tif 000007
【図６】
0003604153.tif 000008